(57)【要約】【課題】風力を利用した換気装置において、風力が弱い場合に運転させる補助ファンとして基本的には浴室ファンを利用しながら、入浴時には補助ファンを浴室ファン以外のファンに切替可能とする。【解決手段】風力を利用し、かつ風力が弱い場合に作動する補助ファンを備えた換気装置において、補助ファンとして常時用いられる浴室ファン４と、入浴時に補助ファンとして用いられるその他のファン６と、浴室ファン４とその他のファン６とに切替可能な切替操作手段８を備える。切替操作手段８は、浴室前に設けられ、浴室ファン４と便所ファン６とに切替操作する切替スイッチである。さらに、窓開放時に補助ファンの制御器用電源が遮断される補助ファン制御器電源スイッチ３が設けられている。【選択図】図１
2005241131.tif 000002
【特許請求の範囲】
【請求項１】
風力を利用し、かつ風力が弱い場合に作動する補助ファンを備えた換気装置において、
前記補助ファンとして常時用いられる浴室ファンと、
入浴時に前記補助ファンとして用いられるその他のファンと、
前記浴室ファンと前記その他のファンとに切替可能な切替操作手段を備えることを特徴とする換気装置。
【請求項２】
風力を利用し、かつ風力が弱い場合に作動する補助ファンを備えた換気装置において、
前記補助ファンとして常時用いられる浴室換気乾燥機と、
入浴時に前記補助ファンとして用いられるその他のファンと、
前記浴室換気乾燥機と前記その他のファンとに切替可能な切替操作手段を備えることを特徴とする換気装置。
【請求項３】
前記切替操作手段は、浴室前に設けられ、前記浴室ファンまたは前記浴室換気乾燥機と前記その他のファンとしての便所ファンとに切替操作する切替スイッチであることを特徴とする請求項１または２に記載の換気装置。
【請求項４】
前記浴室換気乾燥機に前記その他のファンの機能が組み込まれていることを特徴とする請求項２または３に記載の換気装置。
【請求項５】
窓開放時に前記補助ファンの制御器用電源が遮断されることを特徴とする請求項１から４のいずれか一項に記載の換気装置。
【発明の詳細な説明】
【技術分野】
【０００１】
本発明は、住宅等において、風力を利用するとともに、風力が弱い場合に補助ファンを運転させて換気量を確保するようにした換気装置に関する。
【背景技術】
【０００２】
住宅等のシックハウス対策等として、近年、住宅全般の常時換気が行われるようになってきている。通常、常時換気はファンを利用した換気が一般的であるが、その常時換気のためのファンの消費電力を抑えるために風力を利用した所謂ハイブリッド換気も開発されている（特許文献１、２参照）。
また、風力を利用した換気構造において、風力が弱い場合に作動する補助ファンを設けたものがある（特許文献３参照）。
このようなハイブリッド換気では、風力が弱い場合に換気量が不足するので、補助ファンを運転させて換気量を確保するようにしている。
【特許文献１】特許第３０５３７０２号明細書
【特許文献２】特許第３１９２７４８号明細書
【特許文献３】特許第２８９７８７３号明細書
【発明の開示】
【発明が解決しようとする課題】
【０００３】
ところで、ハイブリッド換気の補助ファンとして浴室ファンを利用すれば、住宅等の常時換気だけでなく、浴室内の乾燥にも役立ちカビの発生を抑えることができる。
しかし、冬期においては、入浴中に浴室内に脱衣所等の冷気が入り、寒さを感じてしまうことがある。
【０００４】
本発明の課題は、風力を利用した換気装置において、風力が弱い場合に運転させる補助ファンとして基本的には浴室ファンを利用しながら、入浴時には補助ファンを浴室ファン以外のファンに切替可能とすることである。
【課題を解決するための手段】
【０００５】
以上の課題を解決するため、請求項１に記載の発明は、例えば図１に示すように、風力を利用し、かつ風力が弱い場合に作動する補助ファンを備えた換気装置において、前記補助ファンとして常時用いられる浴室ファン４と、入浴時に前記補助ファンとして用いられるその他のファン６と、前記浴室ファン４と前記その他のファン６とに切替可能な切替操作手段８を備えることを特徴とする。
【０００６】
請求項２に記載の発明は、風力を利用し、かつ風力が弱い場合に作動する補助ファンを備えた換気装置において、前記補助ファンとして常時用いられる浴室換気乾燥機と、入浴時に前記補助ファンとして用いられるその他のファンと、前記浴室換気乾燥機と前記その他のファンとに切替可能な切替操作手段を備えることを特徴とする。
【０００７】
ここで、その他のファンとしては、便所ファン、廊下ファン等が挙げられる。
【０００８】
以上のように、風力式換気の補助ファンとして浴室ファンまたは浴室換気乾燥機とその他のファンとに切替可能な切替操作手段を設けることで、風力式換気の補助ファンとして常時は浴室ファンまたは浴室換気乾燥機を用いながら、切替操作により入浴時には補助ファンとしてその他のファンに切替えられる。
従って、風力式換気の補助ファンとして常時は浴室ファンまたは浴室換気乾燥機を用いることで、住宅等の常時換気だけでなく、浴室内も乾燥してカビ発生を抑制できる。そして、入浴時には補助ファンをその他のファンに切替えることで、例えば冬期における入浴中の浴室換気を停止して冷気の侵入を防止できる。
【０００９】
請求項３に記載の発明は、請求項１または２に記載の換気装置であって、例えば図１に示すように、前記切替操作手段８は、浴室前に設けられ、前記浴室ファン４または前記浴室換気乾燥機と前記その他のファンとしての便所ファン６とに切替操作する切替スイッチであることを特徴とする。
【００１０】
このように、風力式換気の補助ファンとして浴室ファンまたは浴室換気乾燥機と便所ファンとに切替操作する切替スイッチを浴室前に設けることで、浴室前のスイッチ操作で補助ファンを便所ファンに切替えてから入浴でき、また、入浴後のスイッチ操作で補助ファンを浴室ファンまたは浴室換気乾燥機に切替えられる。
【００１１】
請求項４に記載の発明は、請求項２または３に記載の換気装置であって、例えば図２及び図３に示すように、前記浴室換気乾燥機１６に前記その他のファンの機能が組み込まれていることを特徴とする。
【００１２】
このように、浴室換気乾燥機にその他のファンの機能が組み込まれていることで、浴室換気、浴室乾燥、浴室暖房、入浴中の換気停止の何れの場合においても、便所や洗面所等の換気が行える。
【００１３】
請求項５に記載の発明は、請求項１から４のいずれか一項に記載の換気装置であって、例えば図１に示すように、窓開放時に前記補助ファンの制御器２用電源が遮断されることを特徴とする。
【００１４】
このように、窓開放時に補助ファンの制御器用電源が遮断されるようにすることで、窓開放により自然風の通風が行われている間は補助ファンの無駄な運転を無くして消費電力を抑えられる。
【発明の効果】
【００１５】
請求項１または２に記載の発明によれば、風力式換気の補助ファンとして常時は浴室ファンまたは浴室換気乾燥機を用いることで、住宅等の常時換気だけでなく、浴室内も乾燥してカビ発生を抑制できることに加え、入浴時には補助ファンをその他のファンに切替えることで、例えば冬期における入浴中の浴室換気を停止して冷気の侵入を防止できるといった利点が得られる。
【００１６】
請求項３に記載の発明によれば、請求項１または２に記載の発明により得られる効果に加え、浴室前のスイッチ操作で補助ファンを便所ファンに切替えてから入浴でき、また、入浴後のスイッチ操作で補助ファンを浴室ファンまたは浴室換気乾燥機に切替えられるといった利点が得られる。
【００１７】
請求項４に記載の発明によれば、請求項２または３に記載の発明により得られる効果に加え、浴室換気乾燥機にその他のファンの機能が組み込まれていることによって、浴室換気、浴室乾燥、浴室暖房、入浴中の換気停止の何れの場合においても、便所や洗面所等を換気できるといった利点が得られる。
【００１８】
請求項５に記載の発明によれば、請求項１から４のいずれか一項に記載の発明により得られる効果に加え、窓開放時には補助ファンの制御器用電源を遮断することによって、窓開放により自然風の通風が行われている間は補助ファンの無駄な運転を無くして消費電力を抑制できるといった利点が得られる。
【発明を実施するための最良の形態】
【００１９】
以下、図を参照して本発明を実施するための最良の形態を詳細に説明する。
〔第１の実施の形態〕
この実施形態は、風力を利用した換気装置が組み込まれた図略の住宅において、図１に示すように、電源１に対し、補助ファン制御器２及びその電源スイッチ３と、浴室ファン４及びその浴室ファンスイッチ５と、その他のファンとしての便所ファン６及びその便所ファンスイッチ７とを並列に接続して、補助ファン制御器２と浴室ファン４及び便所ファン６との間に補助ファン切替スイッチ８を接続したものである。
【００２０】
ここで、補助ファンは風力式換気において風力が弱い場合に運転させるものである。
補助ファン制御器電源スイッチ３は、住戸の図示しない窓が閉じられた状態でＯＮ状態に維持され、窓が開放されるとＯＦＦ（遮断）動作されるもので、例えば窓に設けた窓開閉を感知するマグネットスイッチ等のスイッチに連動するよう構成される。
補助ファン切替スイッチ８は浴室ファン４と便所ファン６とを選択的に切替操作可能な切替操作手段をなしており、この補助ファン切替スイッチ８は図示しないが浴室前に設置する。
【００２１】
このような回路構成としたので、図１に示したように、浴室前の補助ファン切替スイッチ８を浴室ファン４側に切替えておくことにより、補助ファン制御器電源スイッチ３のＯＮ状態において、風力式換気の補助ファンとして常時は浴室ファン４が用いられて、住宅の常時換気だけでなく、浴室内も乾燥されてカビ発生も抑制される。
そして、入浴の際には浴室前の補助ファン切替スイッチ８を便所ファン６側に切替えることによって、入浴時には補助ファンを便所ファン６に切替えられる。このように入浴時には補助ファンを便所ファン６に切替えることで、例えば冬期における入浴中の浴室換気を停止して冷気の侵入を防止できる。
【００２２】
また、図１の回路構成によれば次の要件も満たすことができる。
（１）補助ファン切替スイッチ８の切替位置に拘わらず、浴室ファンスイッチ５のＯＮ操作でいつでも浴室ファン４を強制運転できる。
（２）補助ファン切替スイッチ８の切替位置に拘わらず、便所ファンスイッチ７のＯＮ操作でいつでも便所ファン６を強制運転できる。
（３）窓開放時に補助ファン制御器電源スイッチ３が遮断されて、窓開放により自然風の通風が行われている間は補助ファンの無駄な運転を無くして消費電力を抑えられる。
【００２３】
〔第２の実施の形態〕
図２は第２実施形態を適用する換気システム例を示したもので、１１は外気取入口、１２は室内換気口、１３は給排気ダクト、１４は風量調整ダンパ、１５は補助ファン制御器、１６は浴室換気乾燥機、１７は便所換気口、１８は排気ダクトである。
ここで、浴室換気乾燥機１６は、常時換気機能付きのものが多く、常時換気以外に便所や洗面所の換気機能もある。この場合、図１の回路構成では便所や洗面所などの換気に支障が出てしまい、例えば入浴時に便所の換気スイッチを入れても換気が行われないことになる。このため、図３に示すような回路構成とする。
【００２４】
すなわち、第２実施形態では、図３に示すように、電源２１に対し、補助ファン制御器１５と浴室換気乾燥機１６と浴室照明器具２２とを並列に接続して、補助ファン制御器１５と浴室照明器具２２とを選択的に切替操作可能な浴室照明スイッチ２３を設けている。この浴室照明スイッチ２３が浴室前に設置された切替スイッチ（切替操作手段）である。
そして、浴室換気乾燥機１６には、換気ハイブリッド連動信号入力端子２４と便所換気スイッチ入力端子２５が備えられている。換気ハイブリッド連動信号入力端子２４には補助ファン制御器１５の信号線が接続され、便所換気スイッチ入力端子２５に便所換気スイッチ２６が接続されている。
ここで、浴室照明スイッチ２３がＯＮ操作により浴室照明器具２２側に切替えられた状態では、補助ファン制御器１５が便所換気信号を浴室換気乾燥機１６に出力するよう予め設定しておく。
【００２５】
このような回路構成とすることで、浴室前の浴室照明スイッチ２３をＯＦＦ操作して補助ファン制御器１５側に切替えておくことにより、風力式換気の補助ファンとして浴室換気乾燥機１６の常時換気機能が用いられて、第１実施形態と同様、住宅の常時換気だけでなく、浴室内も乾燥されてカビ発生も抑制される。
そして、入浴の際には浴室前の浴室照明スイッチ２３をＯＮ操作して浴室照明器具２２側に切替えることによって、入浴時には補助ファンとしての浴室換気乾燥機１６による浴室換気運転が停止されて便所換気運転に切替わる。このように入浴時には補助ファンとしての浴室換気乾燥機１６による浴室換気運転を停止して便所換気運転に切替えることで、例えば冬期における入浴中の浴室換気を停止して冷気の侵入を防止できる。
【００２６】
また、図３の回路構成によれば、浴室換気乾燥機１６による浴室換気、浴室乾燥、浴室暖房、入浴中の換気停止の何れの場合においても、便所換気スイッチ２６をＯＮ操作すれば便所の換気が行える。
【００２７】
なお、以上の実施形態においては、第１実施形態では、補助ファンとして浴室ファンを利用し、その他のファンを便所ファンとしたが、本発明はこれに限定されるものではなく、補助ファンとして浴室換気乾燥機を利用しても良く、その他のファンとしては廊下ファンや物置ファン等であっても良い。さらに、第２実施形態において、第１実施形態と同様の窓開放時に遮断される補助ファン制御器電源スイッチを設けても良い。
また、切替操作手段も実施形態の切替スイッチに限らず、浴室内における人体感知センサー等でも良く、その他、具体的な回路構成等についても適宜に変更可能であることは勿論である。
【図面の簡単な説明】
【００２８】
【図１】本発明を適用した一実施形態の構成を示すもので、第１実施形態の構成例を示したファン駆動回路図である。
【図２】第２実施形態を適用する換気システム例を示した構成図である。
【図３】第２実施形態の構成例を示した浴室換気乾燥機の駆動回路図である。
【符号の説明】
【００２９】
１  電源
２  補助ファン制御器
３  補助ファン制御器電源スイッチ
４  浴室ファン
５  浴室ファンスイッチ
６  便所ファン（その他のファン）
７  便所ファンスイッチ
８  補助ファン切替スイッチ（切替操作手段）
１１  外気取入口
１２  室内換気口
１３  給排気ダクト
１４  風量調整ダンパ
１５  補助ファン制御器
１６  浴室換気乾燥機
１７  便所換気口
１８  排気ダクト
２１  電源
２２  浴室照明器具
２３  浴室照明スイッチ（切替スイッチ；切替操作手段）
２４  換気連動信号入力端子
２５  便所換気スイッチ入力端子
２６  便所換気スイッチ
【図１】
2005241131.tif 000003
【図２】
2005241131.tif 000004
【図３】
2005241131.tif 000005